(57)【要約】【課題】重量や部品点数を大幅に増やすことなく強度を確保し、外観品位も良い電気掃除機を提供する。【解決手段】電動送風機を配置した電動送風機室と仕切壁６を介して併設され、塵埃を収集する集塵室と、前記集塵室の開口部を開閉自在に覆う集塵室蓋７と、前記集塵室の開口縁部または前記仕切壁６の上端９に設けられた弾性を有するパッキン１０とを備え、前記集塵室蓋７で前記集塵室の開口部を覆ったときに前記パッキン１０に当接する補強用横リブ（補強部）１４を、前記集塵室蓋７の外郭内側裏面から突出して設けると共に、前記補強用横リブ１４の根元部に凹部１６を設けた。補強用横リブ１４を太くしても、その根元部に凹部１６があり、補強用横リブ１４が裏面に設けられた集塵室蓋７の外観面にヒケが生じ難く、外観品位の良い電気掃除機が提供できる。【選択図】図２
2006247092.tif 000002
【特許請求の範囲】
【請求項１】
電動送風機を配置した電動送風機室と、前記電動送風機室と仕切壁を介して併設され、塵埃を収集する集塵室と、前記集塵室の開口部を開閉自在に覆う集塵室蓋と、前記集塵室の開口縁部または前記仕切壁の上端に設けられた弾性を有するパッキンとを備え、前記集塵室蓋で前記集塵室の開口部を覆ったときに前記パッキンに当接する補強部を、前記集塵室蓋の外郭内側裏面から突出して設けると共に、前記補強部の根元部に凹部を設けた電気掃除機。
【請求項２】
パッキンはその一部に凹みを有する断面略コの字型とし、集塵室蓋の補強部は、集塵室の開口縁部または仕切壁の上端に前記凹みを被せて取り付けられたパッキンの天面および側面と当接する構成とした請求項１に記載の電気掃除機。
【請求項３】
パッキンは、集塵室の開口縁部または仕切壁の上端に取り付けられた際に、天面または側面に位置する可撓性を備えたリップ部を備え、集塵室蓋の補強部が、前記リップ部に当接する構成とした請求項２に記載の電気掃除機。
【発明の詳細な説明】
【技術分野】
【０００１】
本発明は、一般家庭で使用される電気掃除機に関するものである。
【背景技術】
【０００２】
従来の電気掃除機は、掃除機本体に、電動送風機などを配置した電動送風機室と集塵袋を配置した集塵室とを仕切壁を介して併設するとともに、仕切壁は集塵室の空気を電動送風機室に流れ込む構成とし、集塵室の上部を開閉自在に覆う集塵室蓋と、集塵室の開口縁部及び仕切壁の上端には弾性材製のパッキンを設けた電気掃除機において、集塵室蓋には、集塵室側に突出し、集塵室蓋が閉状態では、前記仕切壁あるいは前記パッキンの集塵室側に当接する、もしくは近傍に位置する補強用リブを設けている。そのため、集塵袋に塵埃が溜まるにつれて大きくなる集塵室内と外気の気圧差や電動送風機の温度上昇による熱にて仕切壁が集塵室側に変形するのを防いでいる（例えば、特許文献１、特許文献２参照）。
【特許文献１】特許第３０１１５９３号公報
【特許文献２】特開平８−５６８７８号公報
【発明の開示】
【発明が解決しようとする課題】
【０００３】
しかしながら、近年、吸込仕事率が高くなるにつれて、集塵室内と外気の気圧差は大きくなり、仕切壁を変形させようとする力も当然増加している。そのため、仕切壁の変形を防止する補強用リブはさらに太くする、あるいはリブの本数を増やすといった対策が必要となってきているが、上記構成では、集塵室蓋が外観となる場合、補強用リブの太さは、成形時のヒケを抑制するために集塵室蓋の天面の肉厚に依存し、補強用リブを太くするときは天面の肉厚も厚くする必要があり、本体重量が大きくなるという課題がある。また、特許文献１のように集塵室蓋を覆う部品をさらに追加すれば、ヒケを気にすることなく補強リブを太くすることができるが、部品点数が増加しコストアップになる。集塵室蓋が外観でかつ透明部品の場合は、補強リブの形状が外観に見えてしまい、外観品位を損ない、さらにリブの本数を増加させると一層品位を損なう。また、集塵室蓋にデザイン的な印刷をしたい場合でも、補強リブがある範囲は避けなければならず、印刷範囲や印刷の大きさが制限される。また、集塵袋が広がったときに補強用リブに接触する場合は、補強用リブが細いと集塵袋が破損する場合もある。
【０００４】
本発明は上記従来の課題を解決するもので、重量や部品点数を大幅に増やすことなく強度を確保し、外観品位も良い電気掃除機を提供することを目的とする。
【課題を解決するための手段】
【０００５】
上記従来の課題を解決するために本発明は、電動送風機を配置した電動送風機室と、前記電動送風機室と仕切壁を介して併設され、塵埃を収集する集塵室と、前記集塵室の開口部を開閉自在に覆う集塵室蓋と、前記集塵室の開口縁部または前記仕切壁の上端に設けられた弾性を有するパッキンとを備え、前記集塵室蓋で前記集塵室の開口部を覆ったときに前記パッキンに当接する補強部を、前記集塵室蓋の外郭内側裏面から突出して設けると共に、前記補強部の根元部に凹部を設けた電気掃除機としたので、補強部先端を太くしても、その根元部に凹部があり、補強部の根元部を細くできるため、補強部が裏面に設けられた集塵室蓋の外観面にヒケが発生することを防止できる。
【発明の効果】
【０００６】
本発明の電気掃除機によれば、重量や部品点数を大幅に増やすことなく、部品のヒケを防止でき、外観品位を向上することが出来る。
【発明を実施するための最良の形態】
【０００７】
第１の発明は、電動送風機を配置した電動送風機室と、前記電動送風機室と仕切壁を介して併設され、塵埃を収集する集塵室と、前記集塵室の開口部を開閉自在に覆う集塵室蓋と、前記集塵室の開口縁部または前記仕切壁の上端に設けられた弾性を有するパッキンとを備え、前記集塵室蓋で前記集塵室の開口部を覆ったときに前記パッキンに当接する補強部を、前記集塵室蓋の外郭内側裏面から突出して設けると共に、前記補強部の根元部に凹部を設けた電気掃除機とした。
【０００８】
これにより、補強部先端を太くしても、その根元部に凹部があるため、補強部の根元部を細くでき、補強部が裏面に設けられた集塵室蓋の外観面にヒケが発生することを防止できる。
【０００９】
また補強部は、その凹部により断面略Ｌ字型にでき、直線状のものと比べて、その強度を向上できる。
【００１０】
第２の発明は、第１の発明のパッキンが、その一部に凹みを有する断面略コの字型とし、集塵室蓋の補強部は、集塵室の開口縁部または仕切壁の上端に前記凹みを被せて取り付けられたパッキンの天面および側面と当接する構成とした。これにより、補強部の先端は、パッキンの天面および側面と当接させるために、より太くすることが必要となるが、その根元部の凹部により補強部の根元部は細くできるため、集塵室蓋の外観面にヒケが発生することを防止できる。
【００１１】
第３の発明は、第２の発明のパッキンは、集塵室開口縁部または仕切壁の上端に取り付けられた際に、天面または側面に位置する可撓性を備えたリップ部を備え、集塵室蓋の補強部が、前記リップ部に当接する構成とした。これにより、集塵室と集塵室蓋とのエアータイトがより確実に行なえるものである。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１〜図７を用いて説明する。
【００１４】
まず掃除機全体の構成を図１〜図７を用いて説明する。図１は第１の実施の形態における電気掃除機の中央断面図、図２は同掃除機本体の部分断面図、図３は同掃除機本体の部分断面図、図４は同掃除機本体の全体斜視図、図５は同掃除機本体の部分斜視図、図６、図７は同掃除機の部分断面図及び動作説明図を示す。
【００１５】
図１〜図７において、掃除機本体１には、電動送風機２を配置した電動送風機室３と集塵袋４を配置した集塵室５とを仕切壁６を介して併設するとともに、集塵室５の上部を開閉自在に覆う透明部材でできた集塵室蓋７と、集塵室５の開口縁部８及び仕切壁６の上端９には弾性材製のパッキン１０を設けている。仕切壁６には空気が通過するように格子１１が設けるとともに、集塵室５前方には吸気口１３が設けてある。パッキン１０の上面には集塵室蓋７の下面が当接し集塵室５内の気密性を確保している。集塵室蓋７には、集塵室５側に突出し、集塵室蓋７が閉状態では、仕切壁６あるいはパッキン１０の集塵室５側に当接する、もしくは近傍に位置する補強用横リブ１４を設けている。補強用横リブ１４は上方に、集塵室蓋７の集塵室側内面１５に当接する箱状の凹部１６を有しており、凹部１６は傾斜コアによって形成されている。凹部１６内には補強用リブＡ１７が集塵室側内面１５に当接しないように複数配置されている。また、補強用横リブ１４の集塵室５側には、補強用リブＢ１８が複数配置されている。図６に示すように、凹部１６は矢印の方向に移動する傾斜コアによって形成され、凹部１６の上面と下面はそれぞれ図６に示すように傾斜し、それぞれの角度αとβはα＞βとなるように設定されている。凹部１６の傾斜コアが移動する方向に合わせて、凹部１６の底面には集塵室蓋７の材質名が刻印されている。集塵室蓋７の集塵室側内面にはシボ加工（図示せず）が施されており、集塵室蓋７の外観面には、熱転写箔によって商品訴求用のロゴ（図示せず）が印刷されている。
【００１６】
以上のように構成された電気掃除機について、以下その動作、作用を説明する。
【００１７】
補強用横リブ１４を太くしても、上方に凹部１６があり、集塵室蓋７の集塵室側内面１５に直に接していないため集塵室蓋７の外観面のヒケに影響しない。また、横リブとしたことで、仕切壁６の変形を広い範囲で防止できる。補強用リブＡ１７は集塵室蓋７の集塵室側内面１５には当接していないため、外観ヒケに影響なく補強用横リブと集塵室蓋内面との間の剛性を強くすることができ、仕切壁の変形防止をさらに容易にできる。集塵室蓋７は透明部材であるが、補強用横リブ１４、補強用リブＡ１７、補強用リブＢ１８とも集塵室蓋７の集塵室側内面１５には当接していないため、形状が外観表面に顕著に見えることなく、外観品位を損なわない。リブの本数を増加させたり、リブの太さを太くしても外観表面には顕著に見えないため、外観品位を損なうことなく、補強リブを設けたり、剛性を強くすることができる。また、材質刻印も傾斜コアを利用して、外観に見えない範囲に刻印をしているため外観品位を損なわない。凹部１６の上面と下面の角度をα＞βとしたことにより、集塵室蓋７の集塵室側内面１５にシボ加工を行うことができ、さらに補強用リブが外観から見えにくくなり、外観品位が向上する。また、図７に示すように凹部１６の上面が水平方向より上方に傾斜していても同様の効果が得られる。また、熱転写箔によるロゴの印刷も、補強用横リブ１４、補強用リブＡ１７、補強用リブＢ１８とも集塵室蓋７の集塵室側内面１５には当接していないため、リブによってロゴが邪魔されることを気にすることなく、印刷形状、範囲を決めることができ、意匠の選択範囲が広がり、外観品位が向上する。
【００１８】
（実施の形態２）
本発明の第２の実施の形態について図８、図９をもとに説明する。なお、実施の形態１と同一部分については同一符号を付してその説明を省略する。
【００１９】
図８、図９において、集塵室蓋７には、集塵室５側に突出し、集塵室蓋７が閉状態では、仕切壁６あるいはパッキン１０の集塵室５側に当接する、もしくは近傍に位置する補強用縦リブ１９を複数設けている。補強用縦リブ１９は上方に、集塵室蓋７の集塵室側内面１５に当接する箱状の凹部１６を有しており、凹部１６は矢印の方向に移動する傾斜コアによって形成され、凹部１６の上面と下面は図８に示すように傾斜し、それぞれの角度αとβは、α＜βとなるように設定している。
【００２０】
以上のように構成された電気掃除機について、以下その動作、作用を説明する。
【００２１】
補強用補強用縦リブ１９を太くしても、上方に凹部１６があり、集塵室蓋７の集塵室側内面１５に直に接していないため集塵室蓋７の外観面のヒケに影響しない。また、仕切壁６の変形しようとする方向とリブの高さ方向が略同一で、リブの剛性が強い方向で仕切壁６の変形しようとする力を受けているため、容易に仕切壁６の変形を防止できる。また、凹部１６の上面と下面の角度をα＜βとしたことにより、集塵室蓋７の集塵室側内面１５にシボ加工を行うことができ、さらに外観品位の向上ができる。
【産業上の利用可能性】
【００２２】
以上のように、本発明にかかる電気掃除機は、外観品位への影響を気にすることなく、仕切壁の変形を防止する手段が容易に実施できるので、仕切壁を有する電気掃除機に特に有用である。
【図面の簡単な説明】
【００２３】
【図１】本発明の実施の形態１を示す電気掃除機の中央断面図
【図２】同電気掃除機の掃除機本体の部分断面図
【図３】同電気掃除機の掃除機本体の部分断面図
【図４】同電気掃除機の掃除機本体の全体斜視図
【図５】同電気掃除機の掃除機本体の部分斜視図
【図６】同電気掃除機の部分断面図及び動作説明図
【図７】同電気掃除機の部分断面図及び動作説明図
【図８】本発明の実施の形態２を示す電気掃除機の部分断面図
【図９】同電気掃除機の掃除機本体の部分断面図
【符号の説明】
【００２４】
１  本体
２  電動送風機
３  電動送風機室
４  集塵袋
５  集塵室
６  仕切壁
７  集塵室蓋
８  開口縁部
９  上端
１０  パッキン
１４  補強用横リブ（補強部）
１５  集塵室側内面
１６  凹部
【図１】
2006247092.tif 000003
【図２】
2006247092.tif 000004
【図３】
2006247092.tif 000005
【図４】
2006247092.tif 000006
【図５】
2006247092.tif 000007
【図６】
2006247092.tif 000008
【図７】
2006247092.tif 000009
【図８】
2006247092.tif 000010
【図９】
2006247092.tif 000011